(57)【特許請求の範囲】
【請求項１】
パネルに形成されたディスク挿入口からディスクが挿入されると、装置内部へと前記ディスクを取り込むスロットイン方式のディスク装置であって、
前記ディスク挿入口の装置内部側の周縁部に設けられたディスクガイドと、
前記ディスクの再生又は記録を行うディスクドライブが取り付けられ、前記ディスク挿入口に通じる開口部が形成されたシャーシとを備え、
前記ディスクガイドと前記シャーシとは、ラビリンス構造を形成して組み合うことを特徴とするディスク装置。
【請求項２】
前記ラビリンス構造は、
前記シャーシの前記開口部の周縁部から前記ディスク挿入口側へ立ち上がる壁部と、
前記ディスクガイドに形成された、前記壁部が挿入される凹部とで構成されることを特徴とする請求項１記載のディスク装置。
【請求項３】
前記ラビリンス構造は、前記開口部又は前記ディスク挿入口の長手方向に沿って形成されることを特徴とする請求項１または請求項２記載のディスク装置。
【請求項４】
前記ラビリンス構造は、前記開口部又は前記ディスク挿入口の全周に沿って形成されることを特徴とする請求項１から請求項３のうちのいずれか１項記載のディスク装置。
【発明の詳細な説明】
【技術分野】
【０００１】
この発明は、ディスクの再生又は記録を行うディスク装置に関する。
【背景技術】
【０００２】
ディスク装置は、ディスクの搬入及び排出方式によって、主にスロットイン方式とトレイ方式とに分けられる。
特許文献１には、スロットイン方式のディスク装置が記載されている。スロットイン方式は、フロントパネルに形成されたディスク挿入口からディスクがある程度挿入されると、送りローラ等の働きにより、ディスクの再生又は記録が可能な位置まで自動的にディスクが送られるものである。スロットイン方式のディスク挿入口は、例えば特許文献１のように、装置内側に向けて延びた断面形状をしている。そして、特許文献１には示されていないが、従来、そのディスク挿入口の先端には、ディスクを通す切込みが入れられたシートディスクを介してディスクガイドが設けられることがあり、このようにして、ディスクが適切な角度でスムーズに挿入されるようになっている。さらに特許文献１のディスク装置内部には、ディスクの再生又は記録を担う機構がシャーシ内に収められて設けられている。装置内側に向けて延びるディスク挿入口の先端と、シャーシ等の装置内部の他部品との間は、通常隙間が空いた状態で組み立てられている。これは、ディスク装置を構成する各部品の公差を考慮すると、装置の設計上必要となる隙間である。しかしながら、この隙間を通って、塵埃がディスクの再生又は記録を担う機構へと侵入する可能性もある。
【０００３】
一方、特許文献２には、トレイ式のディスク装置が記載されている。トレイ方式は、ディスクが乗せられる載置部が装置本体に対してスライドするものである。そして、特許文献２では、トレイが引き込まれたとき、外装ケーシングの開口部の縁側部分とトレイのフロント板部の周縁部とがオーバーラップするように構成されている。これにより、部品点数を増やすことなく防塵性を高くしている。
【先行技術文献】
【特許文献】
【０００４】
【特許文献１】特開２００３―１０９２７５号公報
【特許文献２】実開平５―７３７３９号公報
【発明の概要】
【発明が解決しようとする課題】
【０００５】
特許文献２に示された構成は、トレイ自体が外装ケーシングに対して移動することが前提のトレイ方式のディスク装置にのみ適用可能なものであり、移動するトレイを持たないスロットイン方式のディスク装置の防塵の構造として適用することはできない。
そこで、従来、スロットイン方式のディスク挿入口と装置内部の他部品との間に生じた隙間については、別部品のシートを挟むなどして隙間を埋める構成とすることで、この隙間を介しての塵埃の侵入を低減していた。
しかしながら、この構成では、隙間を埋めるシート等、塵埃の侵入低減専用の別部品を新たに追加する必要があった。
【０００６】
この発明は、上記のような課題を解決するためになされたもので、別部品を新たに追加せずとも、塵埃の侵入を低減することができるスロットイン方式のディスク装置を得ることを目的とする。
【課題を解決するための手段】
【０００７】
この発明に係るディスク装置は、パネルに形成されたディスク挿入口からディスクが挿入されると、装置内部へとディスクを取り込むスロットイン方式のものであって、ディスク挿入口の装置内部側の周縁部に設けられたディスクガイドと、ディスクの再生又は記録を行うディスクドライブが取り付けられ、ディスク挿入口に通じる開口部が形成されたシャーシとを備え、ディスクガイドとシャーシとは、ラビリンス構造を形成して組み合うことを特徴とするものである。
【発明の効果】
【０００８】
この発明によれば、スロットイン方式のディスク装置において、別部品を新たに追加せずとも、ディスクガイドとシャーシとの隙間を介しての塵埃の侵入を低減することができる。
【図面の簡単な説明】
【０００９】
【図１】この発明の実施の形態１に係るディスク装置の分解斜視図である。
【図２】この発明の実施の形態１に係るディスク装置の一部を拡大して示す断面図である。
【図３】この発明の実施の形態１に係る変形例のディスク装置の一部を拡大して示す断面図である。
【図４】図３に示す変形例のフロントシャーシの斜視図及び正面図である。
【発明を実施するための形態】
【００１０】
実施の形態１．
図１に、この発明の実施の形態１に係るディスク装置１の分解斜視図を示す。ディスク装置１は、ディスクの再生又は記録を行うための光ピックアップ、スピンドルモータ等を内部に有するディスクドライブ２と、ディスクドライブ２の動作を制御して、ディスクの情報を読み出させたり、ディスクに情報を書き込ませたりする基板３ａ，３ｂとを有する。ディスクドライブ２には、ディスクが挿入される開口部２ａが形成されている。基板３ａと基板３ｂは、互いにフレキシブルケーブル４により接続され、それぞれ不図示の配線によりディスクドライブ２とも接続されている。
【００１１】
また、ディスク装置１は、ディスクドライブ２及び基板３ａ，３ｂを取り付けて固定するためのメカブラケット５、フロントシャーシ６、リアシャーシ７、ボトムシャーシ８を有する。特にフロントシャーシ６には、ディスク装置１全体を組み立てたときにディスクドライブ２の開口部２ａと対面する位置に、ディスクが挿入される開口部６ａが形成されている。開口部６ａの周縁部からは、ディスク装置１の正面に向けて壁部６ｂが立ち上がっている。また、フロントシャーシ６は、囲い壁６ｃを有し、全体として正面側の一面が欠如した箱型形状となっている。壁部６ｂは、板金を加工して開口部６ａ付きのフロントシャーシ６を製造する場合、当該板金に切り込みを入れて折り曲げることで、開口部６ａを形成すると同時に形成可能である。または、壁部６ｂは、ダイカストによりフロントシャーシ６を製造する場合は、同時に形成可能であるし、適宜の方法で製造した開口部６ａを有するフロントシャーシ６に対して壁部６ｂを別体で製造して、開口部６ａの周縁部に溶接等で取り付けてもよい。この発明では、フロントシャーシ６のことを、単にシャーシとも呼ぶ。
【００１２】
さらにディスク装置１は、装置最上面に位置するトップカバー９と、装置最前面に位置するパネル１０とを有する。パネル１０には、ディスク装置１全体を組み立てたときにフロントシャーシ６の開口部６ａと対面する位置に、ディスクが挿入されるディスク挿入口１０ａが形成されている。ユーザは、ディスク装置１に対してディスク挿入口１０ａからディスクの出し入れを行う。パネル１０は、囲い壁１０ｂを有し、全体として背面側の一面が欠如した箱型形状となっている。囲い壁１０ｂは、フロントシャーシ６の囲い壁６ｃと組み合う。
ディスク装置１は、ユーザがディスク挿入口１０ａからディスクを挿入すると、ディスクドライブ２の内部に設けられた不図示の送りローラによってディスクが取り込まれて所定の位置にセットされる、いわゆるスロットイン方式のものである。
【００１３】
図２は、フロントシャーシ６の開口部６ａ及びパネル１０のディスク挿入口１０ａ付近の拡大断面図である。ディスクドライブ２、フロントシャーシ６及びパネル１０以外の構成は適宜不図示としている。
パネル１０のディスク挿入口１０ａの周縁部には、ディスク装置１内部側へ向けて立ち上がった壁部１０ｃとその先端に配置されたシートディスク１０ｄとを介して、ディスクガイド１０ｅが設けられている。
【００１４】
壁部１０ｃとシートディスク１０ｄとディスクガイド１０ｅとは、例えば接着材等で接合される。
シートディスク１０ｄは、例えば不織布から成るシート状の部材であり、ディスク挿入口１０ａの長手方向に沿って切込み１０ｆが入れられている。
【００１５】
ディスクガイド１０ｅは、略矩形のフレーム状の部材であり、ディスクに傷を付けないように樹脂製となっている。ディスクガイド１０ｅは、ディスクの通り道の上下方向の幅が、ディスク装置１内部に向けて狭まる断面形状を一部に有する。
パネル１０の壁部１０ｃとディスクガイド１０ｅとにより、ディスクの通り道の上下方向の幅が、ディスク装置１内部に向けて一定の傾斜で連続的に狭まっており、ユーザが図２中のＤ方向にディスクを挿入しやすいようになっている。
ディスクガイド１０ｅでは、ディスク装置１内部側の面が溝状にくりぬかれて、凹部１０ｇが形成されている。そして、ディスク装置１として組み立てられた状態では、凹部１０ｇにフロントシャーシ６の壁部６ｂが挿入されるような寸法となっている。
【００１６】
フロントシャーシ６とパネル１０との間に形成される空間Ｓには、塵埃が侵入する。この塵埃は、ディスク装置１の最上面に位置するトップカバー９に形成された組立用の不図示のねじ孔、また、ディスク装置１の各部品の間に形成されたわずかな隙間等から、空間Ｓに侵入する。各部品の間の隙間は、各部品の嵌め合い公差等が原因となり生じるものである。塵埃が侵入する様子を、図中に流れＦで示す。
【００１７】
空間Ｓに侵入した塵埃は、続いてディスクドライブ２へ侵入しようとする。特にディスクドライブ２内でディスクが回転しているときは、ディスクの回転によって、ディスクドライブ２の内部へと空気を吸引する流れができるため、塵埃がディスクドライブ２へ吸い込まれやすい。
しかしながら、図２に示す通り、ディスク装置１では、ディスクガイド１０ｅの凹部１０ｇに、フロントシャーシ６の壁部６ｂが挿入された状態で組み合っており、ディスクガイド１０ｅとフロントシャーシ６とでラビリンス構造を形成している。このラビリンス構造により、空間Ｓ内の塵埃が、ディスクドライブ２へと侵入する量を低減することができる。ディスクガイド１０ｅとフロントシャーシ６を、組み合ったときにラビリンス構造を形成するような形状のものにすればよいので、塵埃の侵入低減専用の別部品を新たに追加する必要は無い。
【００１８】
また、ラビリンス構造とすることで、ディスク装置１を構成する各部品の公差を考慮した時に設計上必要となる程度の隙間を凹部１０ｇと壁部６ｂとの間に確保しつつ、ディスクドライブ２へ塵埃が侵入する量を低減することができる。
【００１９】
なお、図１及び図２を用いた説明では、フロントシャーシ６の開口部６ａ、また、パネル１０のディスク挿入口１０ａの全周に沿って、壁部６ｂと凹部１０ｇとでラビリンス構造を形成することとした。このようにすることで、ディスクドライブ２への塵埃の侵入低減効果を特に高くできる。しかし、フロントシャーシ６の開口部６ａ、また、パネル１０のディスク挿入口１０ａの長手方向に沿ってのみ、壁部６ｂと凹部１０ｇとでラビリンス構造を形成してもよい。つまり、図１における略矩形の開口部６ａの上辺と下辺のみに壁部６ｂを形成する。このようにしても、開口部６ａ周囲のほとんどの部分にラビリンス構造を形成できるため、ディスクドライブ２への塵埃の侵入低減効果は十分高い。
【００２０】
また、上記では、ディスクガイド１０ｅの凹部１０ｇにフロントシャーシ６の壁部６ｂを挿入してラビリンス構造を形成したが、図３に示すように、フロントシャーシ６にディスクガイド１０ｅを挿入してラビリンス構造を形成してもよい。図３では、ディスクガイド１０ｅの長手方向に沿ってディスク装置１内部側の面から壁部１０ｈが、ディスク装置１内部へ向けて立ち上がっている。また、フロントシャーシ６は、開口部６ａの上方及び下方それぞれに、開口部６ａの長手方向に沿ったスリット状の開口部６ｄ，６ｅが形成されている。開口部６ｄの周縁部のうちの上方の部分からは、壁部６ｆがディスク装置１外部へ向けて立ち上がり、開口部６ｅの周縁部のうちの下方の部分からは、壁部６ｇがディスク装置１外部へ向けて立ち上がっている。また、図４は、開口部６ｄ，６ｅ及び壁部６ｆ，６ｇが形成されたフロントシャーシ６の斜視図及び正面図である。図４に示すように、壁部６ｆ，６ｇに加えて更に両者をつなぐ壁部６ｈが形成されており、壁部６ｆ，６ｇ，６ｈにより開口部６ａの全周が囲われる。
【００２１】
そして図３に示すように、フロントシャーシ６の開口部６ｄ，６ｅに、ディスクガイド１０ｅの壁部１０ｈが挿入された状態で組み合っており、フロントシャーシ６とディスクガイド１０ｅとでラビリンス構造を形成している。このようにしても、空間Ｓ内の塵埃が、ディスクドライブ２へと侵入する量を低減することができる。また、塵埃の侵入低減専用の別部品を新たに追加する必要も無い。なお、壁部６ｈが無くとも、ディスクドライブ２への塵埃の侵入低減効果は十分確保できるので、必要に応じて壁部６ｈを省略してもよい。
【００２２】
以上のように、この実施の形態１に係るディスク装置１によれば、フロントシャーシ６とディスクガイド１０ｅのいずれか一方に設けられてディスクの挿入方向に沿って延びる壁部と、開口部を含む他方に設けられた凹部とで構成されるラビリンス構造により、塵埃がディスクドライブ２へと侵入する量を低減することができる。またその際、塵埃の侵入低減専用の別部品を新たに追加することなく、塵埃の侵入を低減できる。
【００２３】
また、ラビリンス構造は、フロントシャーシ６の開口部６ａの周縁部からディスク挿入口１０ａ側へ立ち上がる壁部６ｂと、ディスクガイド１０ｅに形成された、壁部６ｂが挿入される凹部１０ｇとで構成されることとした。この構造では、比較的容易にフロントシャーシ６とディスクガイド１０ｅとによるラビリンス構造を実現することができる。
【００２４】
また、ラビリンス構造は、開口部６ａ又はディスク挿入口１０ａの長手方向に沿って形成されることとした。このように、少なくとも長手方向に沿ってラビリンス構造を形成すれば、ディスクドライブ２への塵埃の侵入低減効果を十分得ることができる。
【００２５】
また、ラビリンス構造は、開口部６ａ又はディスク挿入口１０ａの全周に沿って形成されることとした。この場合、全周に沿ってラビリンス構造が形成されるので、高いディスクドライブ２への塵埃の侵入低減効果を得ることができる。
【００２６】
なお、本願発明はその発明の範囲内において、実施の形態の任意の構成要素の変形、もしくは実施の形態の任意の構成要素の省略が可能である。
【符号の説明】
【００２７】
１  ディスク装置、２  ディスクドライブ、２ａ  開口部、３ａ，３ｂ  基板、４  フレキシブルケーブル、５  メカブラケット、６  フロントシャーシ、６ａ  開口部、６ｂ  壁部、６ｃ  囲い壁、６ｄ  開口部、６ｅ  開口部、６ｆ  壁部、６ｇ  壁部、６ｈ  壁部、７  リアシャーシ、８  ボトムシャーシ、９  トップカバー、１０  パネル、１０ａ  ディスク挿入口、１０ｂ  囲い壁、１０ｃ  壁部、１０ｄ  シートディスク、１０ｅ  ディスクガイド、１０ｆ  切込み、１０ｇ  凹部、１０ｈ  壁部。
【図１】
0006293091.tif 000002
【図２】
0006293091.tif 000003
【図３】
0006293091.tif 000004
【図４】
0006293091.tif 000005